(57)【特許請求の範囲】
【請求項１】
同一寸法からなる第１および第２の一対のプレートを備え、これらプレートの間に布地を挟んだ状態で当該プレートを折り返すことにより布地を二重に折り、布地を所定の袋状に縫い合わせるための手芸作業用補助具であって、
上記第１および第２のプレートは、それぞれ、同一寸法からなる複数の菱形の単位片が一定方向につなげられた平行四辺形状とされており、
上記第１および第２のプレートには、これらが重合する状態において、上記単位片の一方の対角線、および隣接する上記単位片どうしの境界線に沿って山折り、谷折りを交互に行わせるための折り操作指示手段が設けられていることを特徴とする、手芸作業用補助具。
【請求項２】
上記折り操作指示手段は、上記一方の対角線および上記境界線に沿って表された折り目表示線と、当該折り目表示線を挟む両側部分に表され、上記折り目表示線における折り方向を示すための折り方向表示マークと、を備えて構成されている、請求項１に記載の手芸作業用補助具。
【請求項３】
上記折り操作指示手段は、上記一方の対角線および上記境界線に沿って設けられ、交互に山折り、谷折りの方向づけがされた折りぐせを備えて構成されている、請求項１に記載の手芸作業用補助具。
【請求項４】
上記第１および第２のプレートの両端近傍には、それぞれ、一対ずつの第１および第２貫通孔が形成されており、
上記一対ずつの第１および第２の貫通孔は、上記第１および第２のプレートが重合する状態において連通している、請求項１または２に記載の手芸作業用補助具。
【請求項５】
上記第１および第２のプレートにおいて、これらが重合する状態における内側の面には、それぞれ、滑り防止手段が設けられている、請求項１ないし４のいずれかに記載の手芸作業用補助具。
【請求項６】
上記第１のプレートにおいて、上記第１および第２のプレートが重合する状態における外側の面には、縫い操作指示手段が設けられている、請求項１ないし５のいずれかに記載の手芸作業用補助具。
【請求項７】
上記縫い操作指示手段は、一方端の上記単位片において上記一方の対角線の外側にある２つの辺と、上記一方端の上記単位片に隣接する上記単位片から他方端の上記単位片に隣接する上記単位片に至るまでの各上記単位片において上記２つの辺の片方に順次つながる各辺と、に沿って設けられた縫い位置表示マークを有する、請求項６に記載の手芸作業用補助具。
【発明の詳細な説明】
【技術分野】
【０００１】
本発明は、手芸作業用補助具に関し、特にファッション雑貨やインテリア小物などに取り付けるための装飾用素材を作製する際に使用する手芸作業用補助具に関する。
【背景技術】
【０００２】
ファッション雑貨やインテリア小物などに取り付けて優れた装飾効果を発揮する装飾用素材として、たとえば巻きバラと呼称されるものが知られている。巻きバラは、一般に、布地を細長い袋状に縫い合わせ、それを巻き取ることによって作製される。具体的な作製手順の一例を挙げると、まず、型紙などを用いて所定サイズの帯状の布地を裁断する。次いで、裁断した布地を二重に折り、周縁を縫い合わせて袋状にする。次いで、袋状とされた布地を、たとえば棒状の支持部材に巻き付けて接着剤で固定すれば、巻きバラが出来上がる（たとえば、非特許文献１を参照）。ここで、最初に布地をバイアス方向に沿って裁断しておくと、袋状の布地を巻き取ることによってボリュームを持たせることができ、バラの花のような立体感を醸し出すことができる。
【０００３】
しかしながら、上記従来の巻きバラの作製においては、たとえば布地を二重に折って袋状に縫い合わせる際に、二重の布地の周縁をぴったりと揃えないと縫い目にばらつきが生じ、袋状とされた布の形状やサイズにばらつきが生じてしまう。その結果、出来上がった巻きバラの形態もばらつきが生じてしまう。特に多数の巻きバラを作製するような場合には、縫い目を一定に揃えるのは困難であり、これにはある程度の熟練が必要となる。また、布地をバイアス方向に裁断する場合、縦横の糸方向に裁断する場合に比べると布地を無駄にする部分が多く、布地の有効利用という観点から好ましくない。
【０００４】
【非特許文献１】遠藤紀子著、「リボンと布でカジュアルな花たち」、文化出版局、２００６年１２月１０日発行、ｐ．１０２
【発明の開示】
【発明が解決しようとする課題】
【０００５】
本発明は、このような事情のもとで考え出されたものであって、巻きバラなどの装飾用素材を作製するのに際し、二重に折られた布地を形状やサイズがほぼ一定な袋状に効率よく縫い合わせることができる手芸作業用補助具を提供することを課題とする。
【課題を解決するための手段】
【０００６】
上記の課題を解決するため、本発明では、次の技術的手段を講じている。
【０００７】
本発明によって提供される手芸作業用補助具は、同一寸法からなる第１および第２の一対のプレートを備え、これらプレートの間に布地を挟んだ状態で当該プレートを折り返すことにより布地を二重に折り、布地を所定の袋状に縫い合わせるための手芸作業用補助具であって、上記第１および第２のプレートは、それぞれ、同一寸法からなる複数の菱形の単位片が一定方向につなげられた平行四辺形状とされており、上記第１および第２のプレートには、これらが重合する状態において、上記単位片の一方の対角線、および隣接する上記単位片どうしの境界線に沿って山折り、谷折りを交互に行わせるための折り操作指示手段が設けられていることを特徴としている。
【０００８】
本発明の好ましい実施の形態においては、上記折り操作指示手段は、上記一方の対角線および上記境界線に沿って表された折り目表示線と、当該折り目表示線を挟む両側部分に表され、上記折り目表示線における折り方向を示すための折り方向表示マークと、を備えて構成されている。
【０００９】
本発明の好ましい実施の形態においては、上記折り操作指示手段は、上記一方の対角線および上記境界線に沿って設けられ、交互に山折り、谷折りの方向づけがされた折りぐせを備えて構成されている。
【００１０】
本発明の好ましい実施の形態においては、上記第１および第２のプレートの両端近傍には、それぞれ、一対ずつの第１および第２貫通孔が形成されており、上記一対ずつの第１および第２の貫通孔は、上記第１および第２のプレートが重合する状態において連通している。
【００１１】
本発明の好ましい実施の形態においては、上記第１および第２のプレートにおいて、これらが重合する状態における内側の面には、それぞれ、滑り防止手段が設けられている。
【００１２】
本発明の好ましい実施の形態においては、上記第１のプレートにおいて、上記第１および第２のプレートが重合する状態における外側の面には、縫い操作指示手段が設けられている。
【００１３】
本発明の好ましい実施の形態においては、上記縫い操作指示手段は、一方端の上記単位片において上記一方の対角線の外側にある２つの辺と、上記一方端の上記単位片に隣接する上記単位片から他方端の上記単位片に隣接する上記単位片に至るまでの各上記単位片において上記２つの辺の片方に順次つながる各辺と、に沿って設けられた縫い位置表示マークを有する。
【００１４】
本発明のその他の特徴および利点は、添付図面を参照して以下に行う詳細な説明によって、より明らかとなろう。
【発明を実施するための最良の形態】
【００１５】
以下、本発明の好ましい実施の形態について、図面を参照して具体的に説明する。
【００１６】
図１は、本発明に係る手芸作業用補助具の一例を示す展開平面図である。本実施形態の手芸作業用補助具Ａは、同一寸法からなる一対の外プレート１および内プレート２を備えて構成されている。この手芸作業用補助具Ａは、たとえば巻きバラなどの装飾用素材を作製するのに際し、布地を袋状に縫い合わせるために用いるものである。
【００１７】
外プレート１および内プレート２は、それぞれ、たとえばシート状の不織布の片面に樹脂フィルムをラミネート加工により貼着して形成されたものであり、その表裏面は、フィルム面１ａ，２ａおよび不織布面１ｂ，２ｂとなっている。ここで、不織布面１ｂ，２ｂは、本発明でいう滑り防止手段に相当するものである。なお、図１においては、フィルム面１ａ，２ａが表側となるように示している。
【００１８】
外プレート１は、同一寸法からなる複数（本実施形態では６個）の菱形の単位片１１〜１６が一定方向につなげられた形態となっており、全体として平行四辺形状とされている。フィルム面１ａにおいて、各単位片１１〜１６には、一方の対角線に沿って、たとえば印刷などにより折り目表示線１１ｃ〜１６ｃが表されている。また、隣接する単位片どうしの境界線に沿って折り目表示線１１ｄ〜１５ｄが表されている。
【００１９】
フィルム面１ａには、たとえば印刷などにより折り方向表示マーク１１ｅ〜１６ｅが表されている。折り方向表示マーク１１ｅ〜１６ｅは、各折り目表示線１１ｄ〜１５ｄを挟む両側部分に対をなすように（たとえば折り目表示線１１ｄを挟んで位置する折り方向表示マーク１１ｅ，１２ｅや折り目表示線１２ｄを挟んで位置する折り方向表示マーク１２ｅ，１３ｅ）配されており、各折り目表示線１１ｄ〜１５ｄにおける折り方向を示すためのものである。折り目表示線１１ｃ〜１６ｃ，１１ｄ〜１５ｄおよび折り方向表示マーク１１ｅ〜１６ｅは、本発明でいう折り操作指示手段の一つの態様に相当するものである。
【００２０】
フィルム面１ａにはまた、たとえば印刷などにより縫い位置表示マーク１８（図面中においてハッチングで表す）が設けられている。本実施形態では、縫い位置表示マーク１８は、一方端の単位片１１において折り目表示線１１ｃ（一方の対角線）の外側にある２辺と、単位片１１に隣接する単位片１２から他方端の単位片１６に隣接する単位片１５に至るまでの各単位片１２〜１５において上記２つ辺の片方に順次つながる各辺と、に沿って設けられている。この縫い位置表示マーク１８は、布地を縫い合わせるべき位置を示すためのものであり、本発明でいう縫い操作指示手段に相当するものである。なお、本実施形態では、縫い位置表示マーク１８の縫い始めの位置を示す縫い操作開始表示１９ａと、縫い終わりの位置を示す縫い操作終了表示１９ｂとが付されている。
【００２１】
また、外プレート１において、一方端の単位片１１および他方端の単位片１６には、一対ずつの貫通孔１１ｈ，１６ｈが形成されている。
【００２２】
内プレート２は、外プレート１と同様に、同一寸法からなる６個の菱形の単位片２１〜２６が一定方向につなげられた形態となっており、全体として平行四辺形状とされている。各単位片２１〜２６の寸法は、外プレート１の単位片１１〜１６の寸法と同一とされている。フィルム面２ａにおいて、各単位片２１〜２６には、一方の対角線に沿って、たとえば印刷などにより折り目表示線２１ｃ〜２６ｃが表されている。また、隣接する単位片どうしの境界線に沿って折り目表示線２１ｄ〜２５ｄが表されている。
【００２３】
フィルム面２ａには、たとえば印刷などにより折り方向表示マーク２１ｅ〜２６ｅが表されている。折り方向表示マーク２１ｅ〜２６ｅは、各折り目表示線２１ｃ〜２６ｃを挟む両側部分に対をなすように（たとえば折り目表示線２１ｃを挟んで位置する折り方向表示マーク２１ｅ，２１ｅや折り目表示線２２ｃを挟んで位置する折り方向表示マーク２２ｅ，２２ｅ）配されており、各折り目表示線２１ｃ〜２６ｃにおける折り方向を示すためのものである。折り目表示線２１ｃ〜２６ｃ，２１ｄ〜２５ｄおよび折り方向表示マーク２１ｅ〜２６ｅは、本発明でいう折り操作指示手段の一つの態様に相当するものである。
【００２４】
また、一方端の単位片２１および他方端の単位片２６には、一対ずつの貫通孔２１ｈ，２６ｈが形成されている。これら貫通孔２１ｈ，２６ｈは、フィルム面１ａ，２ａが外表となるように外プレート１および内プレート２が重合する状態において、外プレート１の貫通孔１１ｈ，１６ｈと連通するように位置している。
【００２５】
外プレート１および内プレート２のそれぞれには、折り目表示線１１ｃ〜１６ｃ，１１ｄ〜１５ｄおよび折り目表示線２１ｃ〜２６ｃ，２１ｄ〜２５ｄに沿って折りぐせがつけられている。折りぐせは、フィルム面１ａ，２ａが外表となるように外プレート１および内プレート２が重合する状態において、交互に山折り、谷折りの方向づけがなされたものである。これら折りぐせは、本発明でいう折り操作指示手段の一つの態様に相当するものである。そして、外プレート１および内プレート２は、重合する状態で折りぐせに沿って順次折り返すと、図２に示すように、略正五角形の外形を有するように折り畳むことができる。
【００２６】
次に、上記構成の手芸作業用補助具Ａを用いて装飾用素材としての巻きバラを作製する方法について、図３〜図１２を参照して説明する。
【００２７】
まず、図３に示すように、フィルム面１ａ，２ａが外表となるように外プレート１、内プレート２の順に重ね、外プレート１と内プレート２との間にこれらプレート１，２よりもひと回り大きい寸法の布地Ｃを挟む。そして、図４に示すように、外プレート１および内プレート２を、その周縁がぴったり揃うように重ね合わせる。ここで、プレート１，２の一端側の一対ずつの貫通孔１１ｈ，２１ｈ、および他端側の一対ずつの貫通孔１６ｈ，２６ｈのそれぞれに待針Ｐを通し、布地Ｃがプレート１，２から外れないようにする。また、布地Ｃについては、プレート１，２の周縁に沿ったほぼ一定幅の縫い代（たとえば約２ｃｍ）を残して、不要部分を切り落とす。
【００２８】
次に、図５に示すように、プレート１，２の一方端の単位片１１，２１の折り目表示線１１ｃ，２１ｃを折り返す。このとき、図４を参照するとよく理解できるように、対をなす折り方向表示マーク２１ｅ，２１ｅが合わさるようにすることにより、単位片２１は折り目表示線２１ｃに沿って折りぐせの付いた方向へ谷折りされ、単位片１１は折り目表示線１１ｃに沿って折りぐせの付いた方向へ山折りされる。そうすると、単位片１１，２１の折り目表示線１１ｃ，２１ｃ（一方の対角線）を挟んで隣り合う２つの辺が重なることになり、２枚のプレート１，２に挟まれた布地Ｃはこの部分において二重に折り返される。そして、布地Ｃの縫い代を重ねて、縫い位置表示マーク１８に沿って、縫い操作開始表示１９ａの端から最初の角まで、比較的に大きな針目（たとえば約１ｃｍ）で縫い合わす。
【００２９】
次に、図６および図７に示すように、プレート２の折り目表示線２１ｄ，２２ｃに沿って山折り、谷折りの順でプレート１，２を折り返す。このとき、図１を参照するとよく理解できるように、図示しない折り方向表示マーク１１ｅ，１２ｅが合わさるようにすることにより、単位片１１は折り目表示線１１ｄに沿って折りぐせの付いた方向へ谷折りされ、単位片２１は折り目表示線２１ｄに沿って折りぐせの付いた方向へ山折りされる（図６参照）。引き続き、折り方向表示マーク２２ｅ，２２ｅが合わさるようにすることにより、単位片２２は折り目表示線２２ｃに沿って折りぐせの付いた方向へ谷折りされ、単位片１２は折り目表示線１２ｃに沿って折りぐせの付いた方向へ山折りされる（図７参照）。ここで、単位片１１，２１の各辺と、当該各辺と対向する位置にある単位片１２，２２の各辺とが重なることになり、２枚のプレート１，２に挟まれた布地Ｃはこの部分において二重に折り返される。そして、布地Ｃの縫い代を重ねて、縫い位置表示マーク１８に沿って、次の角まで縫い合わす。
【００３０】
次いで、このような折り操作および縫い操作を、単位片１３〜１６，２３〜２６についても同様に繰り返す。そして、図８に示すように、縫い位置表示マーク１８に沿って縫い操作終了表示１９ｂまで布地Ｃの縫い代が重なった部分を縫い合わせ、単位片１６，２６の最後の１辺を残したまま、針と待針Ｐを外す。
【００３１】
次に、外プレート１を取り外し、図９に示すように、内プレート２をまっすぐになるように整える。ここで、布地Ｃは袋状に縫い合わされており、その縫い目はねじれて螺旋状になっている。袋状とされた布地Ｃは、単位片２６に対応する端部が縫い合わされておらず、開口している。一方、内プレート２は、袋状の布地Ｃの内側に包み込まれた状態となっている。そして、布地Ｃの開口部分を通じて内プレート２を抜き取り、布地Ｃの開口部分を縫い閉じる。なお、内プレート２を抜き取る際に、布地Ｃを裏返してもよい。この場合、縫い代部分は袋状の布地Ｃの内側に入り込み、外から見えなくなる。
【００３２】
次に、図１０に示すように、たとえば布地Ｃの縫い目が図中下側になるように揃える。このとき、布地Ｃの図中上側には、もとの螺旋状であった縫い目のねじれに起因して、ひだが形成される。
【００３３】
次に、図１１に示すように、布地Ｃの端部に、たとえばヘアピンなどの棒状の支持部材Ｓを取り付け、糸を引いて軽くギャザーを寄せる。
【００３４】
次に、支持部材Ｓを芯にして布地Ｃを軽く巻き付け、布地Ｃの下側において巻かれた縫い目の近傍を縫い止める。そして、支持部材Ｓを取り外す。このようにして、たとえば図１２に表されるようなボリューム感のある巻きバラＲが得られる。
【００３５】
本実施形態の手芸作業用補助具Ａにおいては、上述したように、２枚のプレート１，２は、それぞれ菱形の単位片１１〜１６，２１〜２６が一定方向につなげられた平行四辺形状とされている。そして、手芸作業用補助具Ａを用いて巻きバラＲを作製する際には、これらプレート１，２に布地Ｃを挟み、折り目表示線１１ｃ〜１６ｃ，２１ｃ〜２６ｃ（単位片の一方の対角線）、および折り目表示線１１ｄ〜１５ｄ，２１ｄ〜２５ｄ（隣接する単位片どうしの境界線）に沿って順番に折り進めながら、布地Ｃの縫い代が二重となった部分を縫い合わせていくことにより、布地Ｃを形状や寸法がほぼ一定な袋状とすることができる。
【００３６】
また、本実施形態の手芸作業用補助具Ａを用いれば、図９を参照して説明したように、袋状とされた布地Ｃには螺旋状の縫い目が形成される。そして、この縫い目の位置を揃えると、もとの螺旋状の縫い目のねじれに起因して、図１０に表れているように、布地Ｃにはひだが形成される。このため、袋状とされた布地Ｃを巻き取ることによって得られる巻きバラＲについては、充分なボリューム感を有するととともに、上記したひだによって、あたかもバラの花びらが重なり合うような立体感のある独自の風合いを醸し出すことができる。
【００３７】
さらに、上記の説明から理解できるように、本実施形態においては、使用する布地Ｃの裁断方向に拘わらず、作製される巻きバラＲはボリューム感を有するものとなる。このため、使用する布地Ｃを、たとえば縦横の糸方向に裁断しても何ら差し支えない。すなわち、手芸作業用補助具Ａを用いれば、布地Ｃを従来のようにバイアス方向に裁断する必要がなく、布地Ｃの有効利用という観点からも好ましい。
【００３８】
本実施形態において、プレート１，２には、折り操作指示手段の一態様として、折り目表示線１１ｃ〜１６ｃ，１１ｄ〜１５ｄ，２１ｃ〜２６ｃ，２１ｄ〜２５ｄおよび折り方向表示マーク１１ｅ〜１６ｅ，２１ｅ〜２６ｅが設けられている。このため、作業者は、プレート１，２の折り操作の手順を適確に把握することができ、プレート１，２の折り操作を迅速かつ適確に行うことができる。さらに、プレート１，２には、折り目表示線１１ｃ〜１６ｃ，１１ｄ〜１５ｄ，２１ｃ〜２６ｃ，２１ｄ〜２５ｄに沿って、折り操作指示手段の一態様としての折りぐせがつけられている。このため、プレート１，２の折り操作の手順をより適確に把握することができる。
【００３９】
本実施形態において、外プレート１および内プレート２には滑り防止手段としての不織布面１ｂ，２ｂが形成されている。そして、２枚のプレート１，２によって布地Ｃを挟むと、不織布面１ｂ，２ｂがそれぞれ布地Ｃに当接することになる。したがって、このような構成によれば、２枚のプレート１，２の各所を折り返していく過程において、プレート１，２に挟まれた布地Ｃが不当にずれるといった不都合を適切に防止することができる。
【００４０】
本実施形態において、外プレート１には縫い操作指示手段としての縫い位置表示マーク１８が設けられている。これにより、プレート１，２の各所を折り進めながら行う縫い操作において、縫い合わせるべき布地Ｃの位置を適確に把握することができる。かかる構成は、手芸作業用補助具Ａの使い勝手をより良くするうえで好ましい。
【００４１】
以上、本発明の実施形態を説明したが、本発明の技術的範囲は上記した実施形態に限定されるものではない。本発明に係る手芸作業用補助具の各部の具体的な構成は、発明の思想から逸脱しない範囲内で種々な変更が可能である。
【００４２】
本発明でいう菱形の単位片の形状としては、上記実施形態に限定されるものではなく、たとえば菱形の一態様である正方形としてもよい。また、単位片の数について、上記実施形態のように６個に限定されるものではなく、適宜増減することが可能である。
【図面の簡単な説明】
【００４３】
【図１】本発明に係る手芸作業用補助具の一例を示す展開平面図である。
【図２】図１に示す手芸作業用補助具を折り畳んだ状態を示す平面図である。
【図３】図１に示す手芸作業用補助具の使用方法の一部の手順を説明するための図である。
【図４】図１に示す手芸作業用補助具の使用方法の一部の手順を説明するための図である。
【図５】図１に示す手芸作業用補助具の使用方法の一部の手順を説明するための図である。
【図６】図１に示す手芸作業用補助具の使用方法の一部の手順を説明するための図である。
【図７】図１に示す手芸作業用補助具の使用方法の一部の手順を説明するための図である。
【図８】図１に示す手芸作業用補助具の使用方法の一部の手順を説明するための図である。
【図９】袋状とされた布地の一つの状態を示す平面図である。
【図１０】袋状とされた布地の一つの状態を示す図である。
【図１１】袋状とされた布地の一つの状態を示す図である。
【図１２】図１に示す手芸作業用補助具を使用して作製された装飾用素材の一例を示す平面図である。
【符号の説明】
【００４４】
Ａ        手芸作業用補助具
Ｃ        布地
Ｒ        巻きバラ
１        外プレート（第１のプレート）
２        内プレート（第２のプレート）
１ａ，２ａ    フィルム面
１ｂ，２ｂ    不織布面（滑り防止手段）
１１〜１６    （第１のプレートの）単位片
１１ｃ〜１６ｃ    （一の対角線に沿う）折り目表示線
１１ｄ〜１５ｄ    （隣接する単位片どうしの境界線に沿う）折り目表示線
１１ｅ〜１６ｅ    折り方向表示マーク
１１ｈ，１６ｈ    （第１の）貫通孔
１８      縫い位置表示マーク（縫い操作指示手段）
２１〜２６    （第２のプレートの）単位片
２１ｃ〜２６ｃ    （一の対角線に沿う）折り目表示線
２１ｄ〜２５ｄ    （隣接する単位片どうしの境界線に沿う）折り目表示線
２１ｅ〜２６ｅ    折り方向表示マーク
２１ｈ，２６ｈ    （第２の）貫通孔
【要約】
【課題】装飾用素材を作製するのに際し、二重に折られた布地を形状やサイズがほぼ一定な袋状に効率よく縫い合わせること。
【解決手段】同一寸法の一対のプレート１，２を備え、これらプレート１，２の間に布地を挟んだ状態で当該プレート１，２を折り返すことにより布地を二重に折り、布地を所定の袋状に縫い合わせるための手芸作業用補助具Ａであって、プレート１，２は、それぞれ、同一寸法の複数の菱形の単位片１１〜１６，２１〜２６が一定方向につなげられた形状とされており、プレート１，２には、これらが重合する状態において、単位片１１〜１６，２１〜２６の一方の対角線、および隣接する単位片の境界線に沿って山折り、谷折りを交互に行わせるための折り操作指示手段（折り目表示線１１ｃ〜１６ｃ，２１ｃ〜２６ｃ，１１ｄ〜１５ｄ，２１ｄ〜２５ｄ、および折り方向表示マーク１１ｅ〜１６ｅ，２１ｅ〜２６ｅ）が設けられている。
【選択図】図１【図１】
0004217268.tif 000002
【図２】
0004217268.tif 000003
【図３】
0004217268.tif 000004
【図４】
0004217268.tif 000005
【図５】
0004217268.tif 000006
【図６】
0004217268.tif 000007
【図７】
0004217268.tif 000008
【図８】
0004217268.tif 000009
【図９】
0004217268.tif 000010
【図１０】
0004217268.tif 000011
【図１１】
0004217268.tif 000012
【図１２】
0004217268.tif 000013